(57)【特許請求の範囲】
【請求項１】
室内で洗濯物を干すのに用いられる室内用物干具であって、
前記洗濯物が掛けられる本体部と、
前記本体部を前記室内における窓の近傍に固定するための固定部と、
前記本体部に掛けられた前記洗濯物と前記窓とを隔てるように、前記本体部又は前記固定部から垂下する幕状の第１の遮蔽部材と、
前記本体部に掛けられた前記洗濯物を挟んで前記第１の遮蔽部材と反対側に設けられ、前記本体部から垂下する幕状の第２の遮蔽部材と、を備え、
前記第１の遮蔽部材の遮光率は、前記第２の遮蔽部材の遮光率よりも低いことを特徴とする室内用物干具。
【請求項２】
請求項１に記載の室内用物干具において、
前記固定部は、前記窓に吸着する吸盤を含む室内用物干具。
【請求項３】
請求項２に記載の室内用物干具において、
前記固定部は、複数の前記吸盤を含む室内用物干具。
【請求項４】
請求項１に記載の室内用物干具において、
前記固定部は、前記窓のサッシを挟持するクリップを含む室内用物干具。
【請求項５】
請求項４に記載の室内用物干具において、
前記固定部は、複数の前記クリップを含む室内用物干具。
【請求項６】
請求項１乃至５の何れかに記載の室内用物干具において、
前記本体部は、物干し用の棒を含む室内用物干具。
【請求項７】
請求項６に記載の室内用物干具において、
前記物干し用の棒は、前記窓に対して垂直に延在する室内用物干具。
【請求項８】
請求項７に記載の室内用物干具において、
前記本体部は、鉛直方向に延在するように前記固定部に接続された棒状の基部を含み、
前記物干し用の棒は、前記基部に連結されている室内用物干具。
【請求項９】
請求項８に記載の室内用物干具において、
前記本体部は、斜め方向に延在する棒状の支持部材を含み、
前記支持部材は、一端が前記物干し用の棒に接続され、他端が前記基部に接続されている室内用物干具。
【請求項１０】
請求項８又は９に記載の室内用物干具において、
前記物干し用の棒は、前記基部に対して折畳み可能である室内用物干具。
【請求項１１】
請求項１乃至５の何れかに記載の室内用物干具において、
前記本体部は、物干し用の紐を含む室内用物干具。
【請求項１２】
請求項１１に記載の室内用物干具において、
前記本体部は、前記物干し用の紐の一端を固定するとともに当該物干し用の紐を収納可能な紐収納部と、
前記紐収納部から引き出された前記物干し用の紐の他端を固定する紐受部と、を含む室内用物干具。
【請求項１３】
請求項１２に記載の室内用物干具において、
前記紐収納部は、当該紐収納部から引き出された前記物干し用の紐を自動的に巻き取る機構を有する室内用物干具。
【請求項１４】
請求項１乃至５の何れかに記載の室内用物干具において、
前記本体部は、物干し用の梯子状部材を含み、
前記梯子状部材は、鉛直方向に延在する第１及び第２の支柱と、水平方向に延在するように前記第１の支柱と前記第２の支柱との間に渡された複数の桟とからなる室内用物干具。
【請求項１５】
請求項１乃至１４の何れかに記載の室内用物干具において、
前記第１の遮蔽部材には、図柄が描かれている室内用物干具。
【請求項１６】
請求項１５に記載の室内用物干具において、
前記第１の遮蔽部材に描かれた前記図柄は、動物、スイーツ、乗り物、又はキャラクターの図柄である室内用物干具。
【請求項１７】
請求項１乃至１６の何れかに記載の室内用物干具において、
前記第１の遮蔽部材は、メッシュ状をしている室内用物干具。
【請求項１８】
請求項１乃至１７の何れかに記載の室内用物干具において、
前記第１の遮蔽部材は、布製である室内用物干具。
【請求項１９】
請求項１乃至１８の何れかに記載の室内用物干具において、
前記第２の遮蔽部材には、図柄が描かれている室内用物干具。
【請求項２０】
請求項１９に記載の室内用物干具において、
前記第２の遮蔽部材に描かれた前記図柄は、動物、スイーツ、乗り物、又はキャラクターの図柄である室内用物干具。
【請求項２１】
請求項１乃至２０の何れかに記載の室内用物干具において、
前記第２の遮蔽部材は、メッシュ状をしている室内用物干具。
【請求項２２】
請求項１乃至２１の何れかに記載の室内用物干具において、
前記第２の遮蔽部材は、布製である室内用物干具。
【発明の詳細な説明】
【技術分野】
【０００１】
本発明は、室内で洗濯物を干すのに用いられる室内用物干具に関する。
【背景技術】
【０００２】
従来の室内用物干具としては、例えば特許文献１に記載されたものがある。同文献に記載された室内用物干具は、物干し竿と、掛止棒とを備えている。掛止棒の一端部は、カーテンレールに掛止できるように構成されている。また、掛止棒の他端部は、物干し竿を取り付けられるように構成されている。この掛止棒は、一端部がカーテンレールに掛止された状態で、当該カーテンレールと直交するように水平に延在する。掛止棒の他端部に物干し竿を取り付けることにより、カーテンレールの内側（室内側）に物干し竿を設置することができる。
【先行技術文献】
【特許文献】
【０００３】
【特許文献１】特開平１１−５７２９０号公報
【発明の概要】
【発明が解決しようとする課題】
【０００４】
上述の室内用物干具を用いれば、室内の窓際に洗濯物を干すことができる。ところが、その場合、窓の外から洗濯物が見られてしまうという問題がある。この点、部屋のカーテン（上記カーテンレールに吊るされたカーテン）を閉めることにより、窓の外から洗濯物が見えないようにすることができる。しかしながら、それでは、室内の採光が必要以上に妨げられてしまう。
【０００５】
本発明は、上記課題に鑑みてなされたものであり、部屋のカーテンを開けたままでも窓の外から洗濯物を見えにくくすることが可能な室内用物干具を提供することを目的とする。
【課題を解決するための手段】
【０００６】
本発明による室内用物干具は、室内で洗濯物を干すのに用いられる室内用物干具であって、上記洗濯物が掛けられる本体部と、上記本体部を上記室内における窓の近傍に固定するための固定部と、上記本体部に掛けられた上記洗濯物と上記窓とを隔てるように、上記本体部又は上記固定部から垂下する幕状の第１の遮蔽部材と、を備えることを特徴とする。
【０００７】
この室内用物干具においては、洗濯物が掛けられる本体部が、固定部によって室内における窓の近傍に固定される。これにより、室内の窓際に洗濯物を干すことができる。しかも、本体部に掛けられた洗濯物と窓とを隔てるように垂下する第１の遮蔽部材が設けられている。このように第１の遮蔽部材で洗濯物と窓とを隔てることにより、窓の外から洗濯物を見えにくくすることができる。
【発明の効果】
【０００８】
本発明によれば、部屋のカーテンを開けたままでも窓の外から洗濯物を見えにくくすることが可能な室内用物干具が実現される。
【図面の簡単な説明】
【０００９】
【図１】本発明による室内用物干具の第１実施形態を示す側面図である。
【図２】図１の室内用物干具を示す平面図である。
【図３】物干棒１２が基部１４に対して折り畳まれる様子を示す側面図である。
【図４】本発明による室内用物干具の第２実施形態を示す平面図である。
【図５】図４の室内用物干具を示す側面図である。
【図６】本体部４０の一部を示す正面図である。
【図７】本体部４０の一部を示す正面図である。
【図８】本体部４０の一部を示す正面図である。
【図９】変形例に係る室内用物干具を示す側面図である。
【図１０】梯子状部材６０を示す正面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による室内用物干具の第１実施形態を示す側面図である。また、図２は、図１の室内用物干具を示す平面図である。室内用物干具１は、室内で洗濯物を干すのに用いられる室内用物干具であって、本体部１０、固定部２０、遮蔽部材３２（第１の遮蔽部材）、及び遮蔽部材３４（第２の遮蔽部材）を備えている。
【００１２】
本体部１０は、洗濯物が掛けられる部分である。本実施形態において本体部１０は、物干棒１２、基部１４、及び支持部材１６を含んでいる。物干棒１２は、物干し用の棒である。物干棒１２には、洗濯物が直接に又はハンガー等を介して掛けられる。図１及び図２においては、物干棒１２に掛けられた洗濯物９４を模式的に示している。物干棒１２は、窓９２（ガラス窓）に対して垂直に延在している。物干棒１２の長さは、例えば、３０〜６０ｃｍ程度である。また、物干棒１２の太さは、例えば、１〜２ｃｍ程度である。
【００１３】
基部１４は、棒状をしており、鉛直方向に延在するように固定部２０に接続されている。物干棒１２は、基部１４に連結されている。詳細には、物干棒１２の一端（窓９２に近い側の端部）が、基部１４の上端に連結されている。基部１４の長さは、例えば、３０〜６０ｃｍ程度である。また、基部１４の太さは、例えば、１〜２ｃｍ程度である。
【００１４】
支持部材１６は、棒状をしており、斜め方向に延在している。支持部材１６の中心軸は、物干棒１２及び基部１４の中心軸を含む平面（窓９２に垂直な鉛直面）内に存在する。支持部材１６は、一端が物干棒１２に接続され、他端が基部１４に接続されている。支持部材１６の長さは、例えば、１０〜２０ｃｍ程度である。また、支持部材１６の太さは、例えば、０．５〜２ｃｍ程度である。物干棒１２、基部１４及び支持部材１６の材料としては、例えば、プラスチック、木、金属等を用いることができる。
【００１５】
図３に示すように、物干棒１２は、基部１４に対して折畳み可能であることが好ましい。かかる構成は、例えば、物干棒１２が基部１４に対して回動できるように物干棒１２の一端を基部１４の上端に固定するとともに、支持部材１６が基部１４に対して回動できるように支持部材１６の他端を基部１４に固定することにより実現することができる。その場合、支持部材１６は、一端が物干棒１２から離間できるように設けられる。室内用物干具１の使用時、支持部材１６は、一端が物干棒１２の下面に接することにより、物干棒１２を下から支持する。これにより、物干棒１２が水平方向に延在した状態が維持される。このとき、支持部材１６の一端を後述する吊下棒３３に引っ掛けることにより、支持部材１６を物干棒１２に対して一時的に固定することができる。なお、物干棒１２の下面に溝や穴等の凹部を設け、支持部材１６の一端を当該凹部に引っ掛けることによっても、支持部材１６を物干棒１２に対して一時的に固定することが可能である。
【００１６】
図１及び図２に戻って、固定部２０は、本体部１０を室内における窓９２の近傍に固定するための部分である。本実施形態において固定部２０は、複数の吸盤２２，２４を含んでいる。各吸盤２２，２４は、窓９２に吸着する。具体的には、各吸盤２２，２４は、窓９２の内側（室内側）の面に吸着する。吸盤２２と吸盤２４とは、平面視（図２参照）で互いに重なるように上下方向に並んで、窓９２に取り付けられている。吸盤２２及び吸盤２４には、それぞれ、基部１４の上端及び下端が接続されている。
【００１７】
遮蔽部材３２は、幕状をしている。遮蔽部材３２は、本体部１０に掛けられた洗濯物９４と窓９２とを隔てるように、本体部１０又は固定部２０から垂下する。本実施形態において遮蔽部材３２は、本体部１０から垂下している。詳細には、遮蔽部材３２は、吊下棒３３を介して本体部１０に取り付けられている。吊下棒３３は、遮蔽部材３２を吊り下げるための棒であり、遮蔽部材３２の上端を保持している。吊下棒３３は、その中央部において物干棒１２の下面に接続され、物干棒１２と直交するように水平方向に延在している。これにより、遮蔽部材３２は、窓９２と略平行に広がった状態で、本体部１０から垂下する。
【００１８】
遮蔽部材３２の横の長さ（水平方向の長さ）は、例えば、３０〜６０ｃｍ程度である。また、遮蔽部材３２の縦の長さ（鉛直方向の長さ）は、例えば、３０〜８０ｃｍ程度である。遮蔽部材３２は、例えば布製である。遮蔽部材３２は、織布からなっていてもよいし、不織布からなっていてもよい。遮蔽部材３２は、ある程度の光透過性を有することが好ましい。また、遮蔽部材３２は、通気性を有することが好ましい。遮蔽部材３２は、メッシュ状をしていてもよい。吊下棒３３の長さは、例えば、３０〜６０ｃｍ程度である。また、吊下棒３３の太さは、例えば、０．５〜１ｃｍ程度である。吊下棒３３の材料としては、例えば、プラスチック、木、金属等を用いることができる。
【００１９】
遮蔽部材３４は、幕状をしている。遮蔽部材３４は、遮蔽部材３２とは別体に設けられており、遮蔽部材３２から離間している。遮蔽部材３４は、本体部１０に掛けられた洗濯物９４を挟んで遮蔽部材３２と反対側に設けられている。遮蔽部材３４は、本体部１０から垂下する。詳細には、遮蔽部材３４は、吊下棒３５を介して本体部１０に取り付けられている。吊下棒３５は、遮蔽部材３４を吊り下げるための棒であり、遮蔽部材３４の上端を保持している。吊下棒３５は、その中央部において物干棒１２の下面に接続され、物干棒１２と直交するように水平方向に延在している。これにより、遮蔽部材３４は、窓９２と略平行に広がった状態で、本体部１０から垂下する。
【００２０】
遮蔽部材３４の横の長さは、例えば、３０〜６０ｃｍ程度である。また、遮蔽部材３４の縦の長さは、例えば、３０〜８０ｃｍ程度である。遮蔽部材３４は、例えば布製である。遮蔽部材３４は、織布からなっていてもよいし、不織布からなっていてもよい。遮蔽部材３４は、通気性を有することが好ましい。遮蔽部材３４は、メッシュ状をしていてもよい。吊下棒３５の長さは、例えば、３０〜６０ｃｍ程度である。また、吊下棒３５の太さは、例えば、０．５〜１ｃｍ程度である。吊下棒３５の材料としては、例えば、プラスチック、木、金属等を用いることができる。
【００２１】
遮蔽部材３２の遮光率は、遮蔽部材３４の遮光率よりも低い。遮光率は、ＪＩＳ規格（ＪＩＳ Ｌ１０５５：２００９）に定められた遮光性試験方法のＡ法により測定することができる。なお、各遮蔽部材３２，３４には、図柄が描かれていてもよい。かかる図柄としては、例えば、動物、スイーツ（デザート）、乗り物、又は、アニメや漫画等のキャラクターの図柄が挙げられる。
【００２２】
室内用物干具１の効果を説明する。室内用物干具１においては、洗濯物９４が掛けられる本体部１０が、固定部２０によって室内における窓９２の近傍に固定される。これにより、室内の窓際に洗濯物９４を干すことができる。しかも、本体部１０に掛けられた洗濯物９４と窓９２とを隔てるように垂下する遮蔽部材３２が設けられている。このように遮蔽部材３２で洗濯物９４と窓９２とを隔てることにより、窓９２の外から洗濯物９４を見えにくくすることができる。したがって、部屋のカーテンを開けたままでも窓９２の外から洗濯物９４を見えにくくすることが可能な室内用物干具１が実現されている。
【００２３】
室内用物干具１によれば、室内の窓際に洗濯物９４を干せるため、洗濯物９４を比較的早く乾かすことができる。また、洗濯物９４を室内に干すことは、部屋の乾燥を防ぐのにも役立つ。さらに、室内用物干具１は、携帯するのにも適している。そのため、室内用物干具１は、例えば、旅行時の宿泊先で室内に洗濯物を干したい場面においても有用である。
【００２４】
固定部２０は、窓９２に吸着する吸盤２２，２４を含んでいる。これにより、窓９２に対する室内用物干具１の取付け及び取外しを容易に行うことができる。特に固定部２０は、複数の吸盤２２，２４を含んでいる。複数の吸盤２２，２４を用いることにより、本体部１０を窓際に安定的に固定しやすくなる。
【００２５】
本体部１０は、物干棒１２を含んでいる。このように物干し用の部材として棒を用いることにより、当該部材が窓９２に対して垂直に延在するように室内用物干具１を設置することができる。実際、本実施形態において物干棒１２は、窓９２に対して垂直に延在している。この場合、物干棒１２が窓９２に対して平行に延在する場合に比して、窓９２の内側の空間をより有効に活用することができる。また、遮蔽部材３２，３４を設ける領域を確保しやすくなる。
【００２６】
本体部１０は、物干棒１２が連結された基部１４を含んでいる。これにより、物干棒１２の強度を高めることができる。物干棒１２の強度が高まれば、より多くの洗濯物９４を物干棒１２に掛けられるようになる。また、本体部１０は、支持部材１６を含んでいる。これにより、物干棒１２が水平方向に延在した状態を安定的に維持しやすくなる。ただし、基部１４及び支持部材１６を設けることは、必須でない。基部１４及び支持部材１６を設けない場合、物干棒１２の一端を吸盤２２に対して直接に接続すればよい。
【００２７】
物干棒１２が基部１４に対して折畳み可能である場合、非使用時、室内用物干具１をコンパクトに収納することができる。
【００２８】
遮蔽部材３２に図柄が描かれている場合、遮蔽部材３２ひいては室内用物干具１の美観を高めることができる。特に、動物、スイーツ、乗り物又はキャラクターの図柄は、子供を喜ばせるのに好適である。
【００２９】
遮蔽部材３２がメッシュ状をしている場合、遮蔽部材３２の通気性を高めることができる。遮蔽部材３２の通気性を高めることは、洗濯物９４を乾きやすくするのに有利である。
【００３０】
遮蔽部材３２が光透過性を有する場合、遮蔽部材３２を透過した日光を洗濯物９４に当てることができる。このため、遮蔽部材３２が光透過性を有しない場合に比して、洗濯物９４が乾きやすくなる。
【００３１】
遮蔽部材３２が布製である場合、遮蔽部材３２ひいては室内用物干具１全体の軽量化を図ることができる。また、通気性及び光透過性を有する遮蔽部材３２を容易に実現することができる。
【００３２】
室内用物干具１には、遮蔽部材３４が設けられている。これにより、窓の外からだけでなく、室内からも洗濯物９４を見えにくくすることができる。ただし、遮蔽部材３４を設けることは、必須でない。
【００３３】
遮蔽部材３２の遮光率は、遮蔽部材３４の遮光率よりも低い。このように遮蔽部材３２の遮光率を低くすることにより、より大量の日光を洗濯物９４に当てることができる。ただし、遮蔽部材３２の遮光率を遮蔽部材３４の遮光率より低くすることは、必須でない。遮蔽部材３２の遮光率は、遮蔽部材３４の遮光率より高くてもよいし、遮蔽部材３４の遮光率に等しくてもよい。
【００３４】
遮蔽部材３４に図柄が描かれている場合、遮蔽部材３４ひいては室内用物干具１の美観を高めることができる。特に、動物、スイーツ、乗り物又はキャラクターの図柄は、子供を喜ばせるのに好適である。
【００３５】
遮蔽部材３４がメッシュ状をしている場合、遮蔽部材３４の通気性を高めることができる。遮蔽部材３４の通気性を高めることは、洗濯物９４を乾きやすくするのに有利である。
【００３６】
遮蔽部材３４が布製である場合、遮蔽部材３４ひいては室内用物干具１全体の軽量化を図ることができる。また、通気性を有する遮蔽部材３４を容易に実現することができる。
（第２実施形態）
【００３７】
図４は、本発明による室内用物干具の第２実施形態を示す平面図である。また、図５は、図４の室内用物干具を示す側面図である。室内用物干具２は、室内で洗濯物を干すのに用いられる室内用物干具であって、本体部４０、固定部２０、遮蔽部材３２、及び遮蔽部材３４を備えている。固定部２０の構成は、第１実施形態で説明したとおりである。ただし、本実施形態において吸盤２２と吸盤２４とは、側面視（図５参照）で互いに重なるように左右方向に並んで、窓９２に取り付けられている。
【００３８】
本体部４０は、洗濯物が掛けられる部分である。本実施形態において本体部４０は、物干紐４２、紐収納部４４、及び紐受部４６を含んでいる。物干紐４２は、物干し用の紐である。物干紐４２には、洗濯物が直接に又はハンガー等を介して掛けられる。図４においては、物干紐４２に掛けられた洗濯物９４を模式的に示している。物干紐４２は、窓９２に対して平行に延在している。物干紐４２の長さは、例えば、３０〜６０ｃｍ程度である。また、物干紐４２の太さは、例えば、１〜５ｍｍ程度である。
【００３９】
図６〜図８は、本体部４０の一部（物干紐４２、紐収納部４４及び紐受部４６からなる部分）を示す正面図である。紐収納部４４は、物干紐４２の一端を固定するとともに物干紐４２を収納可能である。物干紐４２は、図７に示すように、紐収納部４４から引き出すことができる。紐収納部４４は、物干紐４２から引き出された物干紐４２を自動的に巻き取る機構を有している。かかる機構は、例えば紐収納部４４にゼンマイバネを内蔵させることにより、実現することができる。紐受部４６は、図８に示すように、紐収納部４４から引き出された物干紐４２の他端を固定する。紐受部４６は、物干紐４２の他端を掛止できるように構成されている。
【００４０】
図４及び図５に戻って、本体部４０は、補助棒５２，５４を含んでいる。補助棒５２の一端（窓９２に近い側の端部）は、吸盤２２に接続されている。補助棒５２は、窓９２に対して垂直に延在している。紐収納部４４は、補助棒５２に接続されており、補助棒５２を介して吸盤２２に取り付けられている。補助棒５４の一端（窓９２に近い側の端部）は、吸盤２４に接続されている。補助棒５４は、窓９２に対して垂直に延在している。紐受部４６は、補助棒５４に接続されており、補助棒５４を介して吸盤２４に取り付けられている。各補助棒５２，５４の長さは、例えば、３０〜６０ｃｍ程度である。また、各補助棒５２，５４の太さは、例えば、１〜２ｃｍ程度である。補助棒５２，５４の材料としては、例えば、プラスチック、木、金属等を用いることができる。
【００４１】
遮蔽部材３２は、吊下棒３３を介して本体部４０に取り付けられている。吊下棒３３は、補助棒５２及び補助棒５４の下面に接続され、補助棒５２及び補助棒５４と直交するように水平方向に延在している。遮蔽部材３２及び吊下棒３３のその他の構成は、第１実施形態で説明したとおりである。
【００４２】
遮蔽部材３４は、吊下棒３５を介して本体部４０に取り付けられている。吊下棒３５は、補助棒５２及び補助棒５４の下面に接続され、補助棒５２及び補助棒５４と直交するように水平方向に延在している。上述の紐収納部４４及び紐受部４６は、吊下棒３３と吊下棒３５との間に位置する。遮蔽部材３４及び吊下棒３５のその他の構成は、第１実施形態で説明したとおりである。
【００４３】
室内用物干具２の効果を説明する。室内用物干具２においては、洗濯物９４が掛けられる本体部４０が、固定部２０によって室内における窓９２の近傍に固定される。これにより、室内の窓際に洗濯物９４を干すことができる。しかも、本体部４０に掛けられた洗濯物９４と窓９２とを隔てるように垂下する遮蔽部材３２が設けられている。このように遮蔽部材３２で洗濯物９４と窓９２とを隔てることにより、窓９２の外から洗濯物９４を見えにくくすることができる。したがって、部屋のカーテンを開けたままでも窓９２の外から洗濯物９４を見えにくくすることが可能な室内用物干具２が実現されている。
【００４４】
本体部４０は、物干紐４２を含んでいる。このように物干し用の部材として紐を用いることにより、室内用物干具２の軽量化を図ることができる。また、非使用時、室内用物干具２をコンパクトに収納するのに有利である。
【００４５】
本体部４０は、紐収納部４４及び紐受部４６を含んでいる。このため、室内用物干具２の使用時には紐収納部４４と紐受部４６との間に物干紐４２を張る一方で、非使用時には物干紐４２を紐収納部４４内に収納させることができる。これにより、非使用時、物干紐４２が邪魔になりにくいという利点が得られる。ただし、紐収納部４４及び紐受部４６を設けることは、必須でない。紐収納部４４及び紐受部４６を設けない場合、物干紐４２の一端及び他端をそれぞれ補助棒５２及び補助棒５４に対して直接に接続すればよい。
【００４６】
紐収納部４４は、物干紐４２を自動的に巻き取る機構を有している。このため、紐収納部４４から引き出された物干紐４２を紐収納部４４内に容易に戻すことができる。室内用物干具２のその他の効果は、室内用物干具１と同様である。
【００４７】
本発明は、上記実施形態に限定されるものではなく、様々な変形が可能である。上記実施形態においては、物干し用の部材が棒（物干棒１２）又は紐（物干紐４２）である場合を例示した。しかし、物干し用の部材は、図９及び図１０に示すように、梯子状をしていてもよい。図９は、変形例に係る室内用物干具を示す側面図である。同図においては、物干し用の梯子状部材６０が、補助棒５６を介して固定部２０に取り付けられている。補助棒５６の一端は、固定部２０に接続されている。補助棒５６は、窓９２に対して垂直に延在している。梯子状部材６０は、その上端において補助棒５６に接続されており、鉛直方向に延びている。
【００４８】
図１０は、梯子状部材６０を示す正面図である。梯子状部材６０は、支柱６２（第１の支柱）、支柱６４（第２の支柱）、及び複数の桟６６からなる。各支柱６２，６４は、鉛直方向に延在している。各桟６６は、水平方向に延在するように支柱６２と支柱６４との間に渡されている。各桟６６には、洗濯物が直接に又はハンガー等を介して掛けられる。
【００４９】
上記実施形態においては、固定部２０が吸盤（吸盤２２，２４）を含む場合を例示した。しかし、固定部２０は、吸盤の代わりに、あるいは吸盤と共に、窓のサッシを挟持するクリップを含んでいてもよい。固定部２０は、複数のクリップを含んでいてもよい。かかるクリップで窓のサッシを挟持することによっても、本体部を窓際に固定することができる。特に複数のクリップを用いることにより、本体部を窓際に安定的に固定しやすくなる。
【００５０】
上記実施形態においては、遮蔽部材３２が本体部から垂下する場合を例示した。しかし、遮蔽部材３２は、固定部２０から垂下するように設けられていてもよい。
【符号の説明】
【００５１】
１  室内用物干具
２  室内用物干具
１０  本体部
１２  物干棒
１４  基部
１６  支持部材
２０  固定部
２２  吸盤
２４  吸盤
３２  遮蔽部材（第１の遮蔽部材）
３３  吊下棒
３４  遮蔽部材（第２の遮蔽部材）
３５  吊下棒
４０  本体部
４２  物干紐
４４  紐収納部
４６  紐受部
５２  補助棒
５４  補助棒
５６  補助棒
６０  梯子状部材
６２  支柱（第１の支柱）
６４  支柱（第２の支柱）
６６  桟
９２  窓
９４  洗濯物
【図１】
0006467468.tif 000002
【図２】
0006467468.tif 000003
【図３】
0006467468.tif 000004
【図４】
0006467468.tif 000005
【図５】
0006467468.tif 000006
【図６】
0006467468.tif 000007
【図７】
0006467468.tif 000008
【図８】
0006467468.tif 000009
【図９】
0006467468.tif 000010
【図１０】
0006467468.tif 000011